(57)【要約】【課題】  いずれかの送信先で、画像内容が漏洩した場合に、漏洩先を突き止めることができる通信端末装置を提供する。【解決手段】  送信先電話番号が入力され（ステップＳＴ１）、スタートキーが操作され、画像読み取りが行われると（ステップＳＴ２、ＳＴ３）、読み取った送信すべき画像を符号化し、画像メモリ６に蓄積する（ステップＳＴ４）。次に、回線を接続し（ステップＳＴ５）、符号化送信画像をイメージに復号する（ステップＳＴ６）。一方、送信先に対応する送信先情報からイメージパターンを作成する（ステップＳＴ７）。続いて、送信すべき画像のイメージと作成した送信先に対応するイメージパターンを合成し（ステップＳＴ８）、符号化して送信する（ステップＳＴ９）。【選択図】      図２
2005150874.tif 000002
【特許請求の範囲】
【請求項１】
入力画像を符号化して記憶する第１の記憶手段と、
第１の記憶手段に記憶された符号化された画像データをイメージに復号する復号手段と、
送信先情報に対応したイメージ情報を生成する送信先イメージ情報生成手段と、
前記画像イメージと送信先イメージとを合成する画像合成手段と、
合成されたイメージ画像を符号化して、送信先に送信する送信制御手段と、
を備えたことを特徴とする通信端末装置。
【発明の詳細な説明】
【技術分野】
【０００１】
この発明は、ファクシミリ装置、複写機能・ファクシミリ機能等の多機能を有する複合機などの通信端末装置に関する。
【背景技術】
【０００２】
ファクシミリ装置、複合機等の通信端末装置は、送信画像を１つの相手先（送信先）のみならず、多数の相手先に同一の画像を送ることができる。
【０００３】
一方、機密文書を複写して、そのハードコピーを閲覧者に貸し出し、かつ再複写することにより、機密漏洩されるのを防止するために、機密文書の複写に際して、バッファメモリ内のディジタル文書と、他のバッファメモリ内のあみかけ画像を用いた特定のパターンを重ねて印刷しておくことにより、閲覧者が借り出し期間中に再複写した場合でも、再複写文書上の特定パターンからこの再複写文書が由来した閲覧者を固定できるようにした技術が開示されている（例えば、特許文献１参照）。
【特許文献１】特開平８−２９３９９８号公報
【発明の開示】
【発明が解決しようとする課題】
【０００４】
上記したファクシミリ装置などの通信端末装置において、機密性の高い画像を、例えば複数の送信先に伝送した場合に、いずれかの送信先で出力された画像が漏洩した場合に、その漏洩画像を見ても、漏洩元がどの通信端末装置か分からない、という問題がある。
【０００５】
特許文献１に記載の技術は、機密漏洩防止に関する技術であるが、自身での出力文書の漏洩防止を目的とするものであり、この技術を採用しても、送信先での漏洩を防止することはできない。
【０００６】
この発明は上記問題点に着目してなされたものであって、いずれかの送信先で画像内容が漏洩した場合に、漏洩先を突き止めることのできる通信端末装置を提供することを目的としている。
【課題を解決するための手段】
【０００７】
この発明の通信端末装置は、入力画像を符号化して記憶する第１の記憶手段と、第１の記憶手段に記憶された符号化された画像データをイメージに復号する復号手段と、送信先情報に対応したイメージ情報を生成する送信先イメージ情報生成手段と、前記画像イメージと送信先イメージとを合成する画像合成手段と、合成されたイメージ画像を符号化して、送信先に送信する送信制御手段と、を備えている。
【０００８】
この発明において、入力画像には画像読み取り部で読み取った画像、外部ＰＣから転送されて来た画像等を含む。また、送信先情報に対応したイメージ情報とは、送信先情報が数字の電話番号である場合のバーコードで表した電話番号、送信先の略語などをイメージデータとしたものである。
【発明の効果】
【０００９】
この発明によれば、送信元で送信すべき画像イメージと、それぞれの送信先情報に対応するイメージとが合成されて送信されるので、各送信先で印字出力された場合には、画像イメージに対し、各送信先毎の合成されたイメージが異なり、それぞれ画像イメージの壊れ方が相違するので、漏洩画像より漏洩元が特定できる。
【発明を実施するための最良の形態】
【００１０】
以下、実施の形態により、この発明を更に詳細に説明する。図１は、この発明の通信端末装置の一実施形態であるファクシミリ装置（複合機）の構成を示すブロック図である。
【００１１】
図１において、主制御部としてのＣＰＵ（中央処理装置）１は、当該装置を構成する各部を統括制御する機能を有する。
【００１２】
このＣＰＵ１には、ＮＣＵ（網制御回路：Network Control Unit）２、ＭＯＤＥＭ３、ＲＯＭ４、ＲＡＭ５、画像メモリ６、表示部７、操作部８、画像読み取り部９、画像記録部１０、ＣＯＤＥＣ（符号化・復号器：Coder and Decoder ）１１、ＬＡＮ  Ｉ／Ｆ１２がバス１３を介して接続されている。
【００１３】
ＮＣＵ２は、ＣＰＵ１により制御されて、通信回線である公衆電話回線網（ＰＳＴＮ）１４との接続を制御する。また、ＮＣＵ２は、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ３は、Ｖ．８、Ｖ．３４を用いたＶ．３４ＦＡＸにも適用可能である。具体的には、ＭＯＤＥＭ３は、ＮＣＵ２を介して公衆電話回線網１４に送出するために、デジタル信号である送信データをアナログの音声信号に変調する機能を有する。また、ＭＯＤＥＭ３は、公衆電話回線網１４からＮＣＵ２を介して受信したアナログの音声信号をデジタル信号に復調する機能を有する。
【００１４】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。
【００１５】
ＲＡＭ５には、送信先メモリ５ａを備えている。この送信先メモリ５ａには、送信画像データを送信すべき送信先電話番号と、これに対応して、メールアドレスと、宛先名称と、各電話番号に固有の、つまり各送信先電話番号にリンクしたイメージデータが記憶されている。図３に、送信先メール５ａの記憶内容の一例を示している。ここで示すイメージＡ、Ｂ、Ｃ、……は、それぞれ各送信先電話番号に対応する固有のイメージデータそのものである。例えば、電話番号をバーコードで示したイメージデータ、名称の略語のイメージデータ等である。図４に電話番号の番号数字と、そのバーコードの一例を示す。しかし、ここには、別のメモリに記憶するイメージＡ、Ｂ、Ｃ、……のアドレス記憶するものであっても良い。
【００１６】
画像メモリ６は、画像読み取り部９で読み取った画像データを符号化し、圧縮状態で記憶する。また、パーソナルコンピュータ等の外部装置からネットワーク（ＬＡＮ）１５を介して受信した画像データ又は記録メディアから読み込んだ画像データを符号化し、圧縮状態（ＪＰＥＧ等）で記憶する。この画像メモリ６は、符号化圧縮データを記憶する記憶エリアと、この記憶エリアに記憶された画像データを復号して得たイメージデータを記憶する記憶エリアとを有する。
【００１７】
表示部７は、アイコン、キーボタンの表示や、データの送受信に必要なメッセージ内容、操作部８の操作により入力された電話番号やＦＡＸ番号等を表示する。この表示部７としては、ＬＣＤ（液晶表示装置）が用いられる。操作部８は、テンキー、モード切替キー、ワンタッチキー、短縮キー、登録キー、スタートキー、ストップキー等を有する。テンキーは、電話番号やＦＡＸ番号、その他の数値を入力するためのものである。モードキー種々の動作モードを切り替え設定するのに使用される。ワンタッチキーは、相手先の電話番号やＦＡＸ番号をワンタッチで呼び出すためのものである。短縮キーは、このキーと２桁の数字キーの操作により、短縮ダイヤルが入力できる。登録キーは、相手先の電話番号やＦＡＸ番号をワンタッチ短縮登録するため、その他の登録時に使用される。スタートキーは、ファクシミリ通信やコピー動作の開始を指示するためのものである。ストップキーは、種々の処理動作を停止する場合に操作される。
【００１８】
画像読み取り部９は、ファクシミリ送信するとき又はコピーするときに、原稿の画像データを光学的に走査して読み取る。この画像読み取り部９は、カラー画像の読み取りも可能である。カラー読み取りの場合、画像読み取り部９は、原稿画像を光学的に走査し、ＲＧＢ３色の色分解信号を得る。画像記録部１０は、電子写真方式のプリンタよりなり、受信画像データやコピー動作において画像読み取り部９で読み取った原稿の画像データを記録紙上に記録する。
【００１９】
ＣＯＤＥＣ１１は、読み取った画像データを送信又は記憶するためにＭＨ、ＭＲ、ＭＭＲ方式等により符号化（エンコード）する。また、ＣＯＤＥＣ１１は、圧縮符号化された状態で受信した画像データを、画像記録部１０により記録するために復号（デコード）する。ＬＡＮ  Ｉ／Ｆ１２は、ＬＡＮ（ローカルエリアネットワーク）１５を介して外部機器とのデータ授受を行うためのものであり、ＬＡＮ  Ｉ／Ｆ１２を介してＰＣ（パーソナルコンピュータ）等の外部機器が接続される。例えば、ＬＡＮ  Ｉ／Ｆ１２を介して、外部機器からコピーすべき画像データを受信することができる。
【００２０】
次に、この実施形態ファクシミリ装置において、他の送信先装置に読取画像を送信する場合の処理動作を、図２に示すフロー図を参照して説明する。このジョブに入ると、ステップＳＴ１において、送信先の電話番号を入力する。入力は操作部８のテンキーを操作するが、場合により、ワンタッチキー、短縮キーであっても良い。次に、ステップＳＴ２へ移行する。
【００２１】
ステップＳＴ２においては、操作部８のスタートキーが操作されたか否かを判定する。スタートキーが操作されると、ステップＳＴ３へ移行する。スタートキーが操作されない場合は、操作されるまで、このステップＳＴ２へとどまり、スタートキーの操作を待機する。
【００２２】
ステップＳＴ３においては、画像読み取り部９でセットされた原稿をスキャンし、画像読み取りを行う。次に、ステップＳＴ４へ移行する。ステップＳＴ４においては、読み取った送信すべき画像をＣＯＤＥＣ１１で符号化し、画像メモリ６に記憶する。続いて、ステップＳＴ５へ移行する。ステップＳＴ５において、入力した送信宛電話番号の送信先装置と回線１４において、回線接続する。次に、ステップＳＴ６へ移行する。
【００２３】
ステップＳＴ６においては、画像メモリ６に記憶されている符号化された送信すべき画像データを読み出して、ＣＯＤＥＣ１１で復号し、イメージデータとし、画像メモリ６に記憶する。続いて、ステップＳＴ７へ移行する。ステップＳＴ７においては、送信相手先情報からイメージパターンを生成する。この処理はＲＡＭ５の送信先メモリ５ａを参照し、送信先電話番号に対応するイメージを読み出す。図３の例示で、入力された電話番号が０７５．１２３．４５６７であれば、イメージパターンＡが読み出される。このイメージパターンＡは、例えばその送信先の電話番号を示したバーコードや、独自固有のパターンである。次に、ステップＳＴ８へ移行する。
【００２４】
ステップＳＴ８においては、画像メモリ６に記憶された画像イメージと、送信先メモリ５ａから読みだしたイメージパターンとを合成する。合成方法は、例えば両イメージデータの各画素につき、排他ＯＲ論理処理を行うと良い。今、送信すべき画像データのイメージを図５に示すものとすると、この図５のイメージデータに図４の電話番号のバーコード部分のイメージデータを合成すると、合成画像のイメージは図６に示すものとなる。次に、ステップＳＴ９へ移行する。ステップＳＴ９においては、合成した画像イメージをＣＯＤＥＣ１１で符号化して、ＭＯＤＥＭ３、ＮＣＵ２より、公衆回線１４を経て、画像データを送信先に向けて送信する。
【００２５】
この画像データを受信した送信先の装置では、装置内でイメージに復号し、画像記録部で印字出力する。印字出力された記録紙の画像は、元の送信画像に対し、送信先固有のイメージで壊されたものであり、記録紙の印字出力画像により、印字出力した通信端末装置を特定することができる。
【図面の簡単な説明】
【００２６】
【図１】この発明の一実施形態であるファクシミリ装置の概略構成を示すブロック図である。
【図２】同実施形態ファクシミリ装置の画像送信処理動作を説明するフロー図である。
【図３】同実施形態ファクシミリ装置の送信先メモリの記憶内容の一例を示す図である。
【図４】同実施形態ファクシミリ装置で使用する送信先情報に対応したイメージの一例を示す図である。
【図５】同実施形態ファクシミリ装置で送信すべき画像データの一例を示す図である。
【図６】図４に示すイメージと、図５に示す送信画像とを合成した画像を示す図である。
【符号の説明】
【００２７】
１          主制御部（ＣＰＵ）
２          ＮＣＵ
３          ＭＯＤＥＭ
４          ＲＯＭ
５          ＲＡＭ
５ａ        送信先メモリ
６          画像メモリ
７          表示部
８          操作部
９          画像読み取り部
１０        画像記録部
１１        ＣＯＤＥＣ
１２        ＬＡＮＩ／Ｆ
１３        バス
１４        公衆電話回線網
１５        ＬＡＮ
【図１】
2005150874.tif 000003
【図２】
2005150874.tif 000004
【図３】
2005150874.tif 000005
【図４】
2005150874.tif 000006
【図５】
2005150874.tif 000007
【図６】
2005150874.tif 000008